(57)【要約】【課題】本発明は、食器かごが簡単に洗浄槽に出し入れできる食器洗い機を提供することを目的とする。【解決手段】本発明は、外枠体に引き出し自在に収まる洗浄槽と、この洗浄槽の内底に設けられる回転自在なる回転ノズル体と、この回転ノズル体の下側に設けられ、かつ洗浄水を回転ノズル体に加圧供給する電動ポンプと、前記洗浄槽内に内置される食器載置用の食器かごとを有し、取り外しができる前記食器かごを載置したまま前記洗浄槽内を昇降する昇降トレ−を設けたことを特徴とする。【選択図】図１
2006141514.tif 000002
【特許請求の範囲】
【請求項１】
外枠体に引き出し自在に収まる洗浄槽と、この洗浄槽の内底に設けられる回転自在なる回転ノズル体と、この回転ノズル体の下側に設けられ、かつ洗浄水を回転ノズル体に加圧供給する電動ポンプと、前記洗浄槽内に内置され、該洗浄槽から取り外し可能な食器載置用の食器かごとを有し、
前記食器かごを載置した状態で前記洗浄槽内を昇降する載置部を設けたことを特徴とする食器洗い機。
【請求項２】
請求項１記載の食器洗い機において、
前記載置部を上げ下げする昇降手段を設けたことを特徴とする食器洗い機。
【請求項３】
請求項２記載の食器洗い機において、
前記昇降手段は、前記載置部を吊る吊りロープと、この吊りロープを案内する滑車と、前記吊りロープを巻く巻上手段を含むことを特徴とする食器洗い機。
【請求項４】
請求項３記載の食器洗い機において、
前記巻上手段は、巻取ドラムと、この巻取ドラムを駆動する電動機とを含むことを特徴とする食器洗い機。
【請求項５】
請求項４記載の食器洗い機において、
前記吊りロープによる前記載置部の吊り点が４個所であることを特徴とする食器洗い機。
【請求項６】
請求項１記載の食器洗い機において、
前記載置部の昇降は、前記洗浄槽が引き出されているときに行なわれることを特徴とする食器洗い機。
【請求項７】
請求項２記載の食器洗い機において、
前記洗浄槽が引き出されたり、押し戻されたりするのを検知する出入検知手段を有し、
前記昇降手段の上昇作動は、前記洗浄槽の引き出し完了にともなう前記出入検知手段の検知に応じ行われることを特徴とする食器洗い機。
【請求項８】
請求項３記載の食器洗い機において、
前記巻上手段を前記洗浄槽の後部背面側に設けたことを特徴とする食器洗い機。
【請求項９】
請求項３記載の食器洗い機において、
前記巻上手段は、前記電動機の回転を減速して前記巻取ドラムに伝える減速手段を有することを特徴とする食器洗い機。
【発明の詳細な説明】
【技術分野】
【０００１】
本発明は、洗浄槽内に設けた食器かごを昇降できる食器洗い機の改良に係わるものである。
【背景技術】
【０００２】
この種の食器洗い機は、例えば、特許文献１（特開２００１−２２４５４７号公報）に示される。
【０００３】
食器洗い機は、洗浄槽内に設けた食器かごを昇降できる昇降手段を有する。洗浄槽内の食器かごを上方に移動させた上昇位置で食器の出し入れが行なわれる。
【０００４】
【特許文献１】特開２００１−２２４５４７号公報
【発明の開示】
【発明が解決しようとする課題】
【０００５】
上記従来の食器洗い機は、食器かごが昇降手段にねじ等を用いて固定されているので、食器かごを簡単に洗浄槽から取り出すことが出来ない。このため、洗浄槽内の掃除が容易に行なうことができない。また、食器を収納したままで食器かごを洗浄槽に出し入れできない。
【０００６】
本発明は、上記の問題に鑑み、食器かごが簡単に洗浄槽に出し入れできる食器洗い機を提供することを目的とする。
【課題を解決するための手段】
【０００７】
本発明は、外枠体に引き出し自在に収まる洗浄槽と、この洗浄槽の内底に設けられる回転自在なる回転ノズル体と、この回転ノズル体の下側に設けられ、かつ洗浄水を回転ノズル体に加圧供給する電動ポンプと、前記洗浄槽内に内置される食器載置用の食器かごとを有し、取り外しができる前記食器かごを載置したまま前記洗浄槽内を昇降する昇降トレ−を設けたことを特徴とする。
【発明の効果】
【０００８】
本発明によれば、食器かごを容易に洗浄槽に出し入れできるので、使い勝手の良い食器洗い機を提供できる。
【発明を実施するための最良の形態】
【０００９】
本発明の実施形態に係わる実施例について、図を引用して説明する。
【００１０】
まず、図１〜図４に沿って食器洗い機の概要を説明する。この食器洗い機は、台所の流し台に組み込まれる形態のものである。
【００１１】
食器洗い機の外枠体１内には、洗浄槽２が備わる。洗浄槽２は、外枠体１に引き出し自在に収納される。図示されていないが、洗浄槽２の出し入れを円滑にするための案内レールやローラなどが備わる。洗浄槽２の前面には、各種のスイッチや各種の表示ランプ等が配置された操作パネル３が設けられる。また操作パネル３の下部が洗浄槽２を出し入れする操作ハンドルになっている。
【００１２】
食器類を収納する食器かご４は、洗浄槽２に備わる。食器かご４の下方になる洗浄槽２の内底には、回転ノズル体５と電動ポンプ６が設けられる。回転ノズル体５は、洗浄水を噴射するノズル７を有する。電動ポンプ６は、回転ノズル体５に洗浄水を加圧供給する。この加圧供給水を受けて回転ノズル体５は、ノズル７から勢いよく洗浄水を噴射し、その反動で回転ノズル体５は回転する。回転ノズル体５は、回転しながら広範囲に洗浄水を噴射する。
【００１３】
電動ポンプ６は、排水ポンプ部７を有する。電動ポンプ６は、回転ノズル体５に洗浄水を供給する洗浄ポンプ部と、洗浄水を排水する排水ポンプ部１０を有するのである。排水ポンプ部１０は、洗浄槽２の底部に設けた排水口８から洗浄水を吸い込み、排水ホース（図示せず）を介して食器洗い機の機外に排水する。
【００１４】
洗浄ポンプ部と排水ポンプ部１０は、電動ポンプ６の回転方向によって切り替わる。正転方向の回転では、洗浄ポンプ部がポンプとして機能し、逆転方向の回転では排水ポンプ部１０がポンプとして機能するように切り替わる。電動ポンプ６を駆動するモータの正転／逆転によって切り替えが行われる。
【００１５】
食器かご４は、洗浄槽２内を上下に昇降する。昇降は、昇降トレー９（載置部）に載置されたまま行われる。食器かご４は、食器洗い機が稼動しているときは、洗浄槽２の内底側に位置している。食器の出し入れに際して、食器かご４は、上側に上げた上昇位置に置かれる。食器かご４が上昇位置にあるので、食器の出し入れがし易い。
【００１６】
また、洗浄槽２の内部は、よく清掃するのが望ましいが、食器かごが有ると、掃除がし難い。しかし、昇降トレー９に載置された食器かご４は、持ち上げることで昇降トレー９から簡単に取り外すことができるので、洗浄槽２の内部をよく掃除することができる。
【００１７】
また、食器が入ったままで、食器かご４を食器洗い機に出し入れする使い方もできる。使い勝手の良い食器洗い機を提供できる。
【００１８】
昇降トレー受け台２０は、洗浄槽２内の下側４隅に設けられる。昇降トレー９は、この昇降トレー受け台２０より、下がることはないので、食器かご４と回転ノズル体５が所定の間隔に保たれるので、洗浄性能が安定する。
【００１９】
昇降トレー９は、周囲に上向きの縁部が設けられているので、食器かご４を座り良く載置できる。昇降トレー９は、周囲を除き、大部分が開口、あるいは格子状に形成されているので、回転ノズル体５から噴射した洗浄水で食器かご４の食器が良く洗浄される。図示されている食器かご４は一体であるが、２分割、４分割にすることも可能である。また、食器かごを容易に係合／離脱できる係合手段を昇降トレーに設けることにより、食器かごの載置が安定する。
【００２０】
次に昇降トレー９の昇降手段について述べる。
【００２１】
昇降手段は、巻上手段２１、滑車２２、吊りロープ２３を含む。巻上手段２１は、図４に示すように洗浄槽２の後部背面に背負い込まれるように設けられる。洗浄槽２の後部背面側と、外枠体１の内側面との間にできる空間を利用して配置されるので、食器洗い機をコンパクト化することができる。
【００２２】
巻上手段２１は、巻取ドラム２４と、巻取ドラム２４を駆動する巻取モータ２５を含む。巻取ドラム２４と巻取モータ２５は、横一列になって洗浄槽２の下側寄りに設けられる。
【００２３】
４つの滑車２２は、洗浄槽２の内部上端側の前後４隅近傍に備えられる。また二つ滑車２２が洗浄槽２の後部背面の左右上端側に備えられる。さらに洗浄槽２の後部背面の中段に二つ滑車２２が左右に離間して設けられる。
【００２４】
図４に示す右側の吊りロープ２３のうち、昇降トレーの後側吊りに用いる吊りロープ２３は、２個の滑車２２を経由して巻取ドラム２４に巻かれる。吊りロープ２３の他端は、昇降トレー９に取り付け固定される。昇降トレーの前側吊りに用いる吊りロープ２３は、３個の滑車２２を経由して巻取ドラム２４に巻かれる。この吊りロープ２３の他端も、同様に昇降トレー９に取り付け固定される。
【００２５】
また図４に示す左側の吊りロープ２３のうち、昇降トレーの後側吊りに用いる吊りロープ２３は、４個の滑車２２を経由して巻取ドラム２４に巻かれる。この吊りロープ２３の他端も、同様に昇降トレー９に取り付け固定される。昇降トレーの前側吊りに用いる吊りロープ２３は、５個の滑車２２を経由して巻取ドラム２４に巻かれる。この吊りロープ２３の他端も、同様に昇降トレー９に取り付け固定される。
【００２６】
このように昇降トレー９は、吊りロープ２３により４隅の位置を吊る４点吊になるので、傾き無く安定した状態で食器かごを昇降させることができる。また、食器かごの上げ下げ高低は、２００ｍｍ程度の長さになる。食器洗い機の狭い空間では昇降シリンダーやリンク機構を用いて２００ｍｍ程度のストロークを得るのは難しい。巻上手段により吊りロープ２３を巻き上げる方式であるので、２００ｍｍ程度の昇降作動を容易に実現でき、しかも、滑車、吊りロープ、巻上手段は、構成が簡単で、食器洗い機の狭い空間に容易に収まる。
【００２７】
巻上手段は、巻取モータ２５の回転を減速して巻取ドラム２４に伝達する減速手段を有する。この減速手段は、巻取モータ２５に内蔵している。減速手段は、巻取ドラム２４に内蔵させたり、別置きすることも可能である。減速手段の減速比を食器かごの落下荷重よりも大きくすることで、ブレーキを設けなくとも食器かごを上昇位置に止めて置くことができる。
【００２８】
巻上手段の巻取ドラムと巻取モータは、一列に並ぶような構成になっているので、洗浄槽２の後部背面側と、外枠体１の内側面との間にできる狭い空間に配置できる。
【００２９】
次に食器洗い機のブロック制御回路について図５に沿い説明する。
【００３０】
制御手段（マイコン）４０は、溢水センサ４１、水位センサ４２、ヒータ温度検知手段４３、エアポンプ圧力スイッチ４４、ドアスイッチ４５、操作部４６、引出完了検知スイッチ４７の各種信号を演算処理して各種負荷を制御したり、表示部４８の表示制御を行う。
【００３１】
電源回路６０は、商用電源６１の交流を低圧の直流に換えて制御手段４０に供給する。電動ポンプ用のモータ６２は、インバータ回路６３により駆動される。インバータ回路６３には、フィルタ回路６４、全波整流回路６５を介して商用電源６１の交流を直流に換えた直流電力が供給される。
【００３２】
インバータ回路６３に供給される直流の電圧は電圧検知手段６６で検知され、直流の電流は電流検知手段６７で検知される。インバータ回路６３は、制御手段４０に指示のもとで、作動する駆動回路６８の信号により駆動制御される。モータ６２はブラシレスＤＣモ−タで、磁極位置検知回路６９が出力する磁極位置検知信号に基づいて駆動電流の通電が行われる。
【００３３】
シーズヒータ８０は、洗浄水の加熱をするもので、洗浄槽２の下部に設けられる水溜部に備えられる。シーズヒータ８０は、温度ヒュ−ズ８１、温度サーモスイッチ８２をヒータリレー８３の接点８３Ａを介して商用電源６１に接続される。ヒータリレー８３の励磁コイル８３Ｂは、制御手段４０の指示により通電が行われ、励磁コイル８３Ｂの励磁により、シーズヒータ８０に通電が行われる。
【００３４】
エアポンプ８４は、洗浄槽２の上縁部と、外枠体１の内側天井とのシールパッキングを伸縮させるポンプで、排気ポンプ部８４Ａと、給水ポンプ部８４Ｂを有する。排気ポンプ部８４Ａは、シールパッキングの空気を抜く。給水ポンプ部８４Ｂはシールパッキングに空気を供給する。
【００３５】
排気ポンプ部８４Ａは、排気ポンプリレー８５の接点８５Ａを介して商用電源６１に接続される。給気ポンプ部８４Ｂは、給気ポンプリレー８６の接点８６Ａを介して商用電源６１に接続される。排気ポンプリレー８５の励磁コイル８５Ｂは、制御手段４０の指示により通電が行われ、励磁コイル８５Ｂの励磁により、排気ポンプ部８４Ａが駆動される。給気ポンプリレー８６の励磁コイル８６Ｂは、制御手段４０の指示により通電が行われ、励磁コイル８６Ｂの励磁により、給気ポンプ部８４Ｂが駆動される。
【００３６】
給気ポンプ部８４Ｂの駆動はエアポンプ圧力スイッチ４４の検知圧力により制御され、シールパッキングは良好なシール状態に保たれ、洗浄水の漏れが防がれる。
【００３７】
ファンモータ８７は、洗浄槽２内に乾燥空気を循環させるもので、すすぎ工程後に運転される。ファンモータ８７は、ファンリレー８９の接点８９Ａを介して直流の電源回路６０に接続される。ファンリレー８９の励磁コイル８９Ｂは、制御手段４０の指示により通電が行われ、励磁コイル８９Ｂの励磁により、ファンモータ８７が駆動される。
【００３８】
巻取モータ２５は、前述したように食器かごの上げ下げに用いるもので、正転／逆転が行われる。正転で食器かごは上げられ、逆転で食器かごは下げられる。
【００３９】
巻取モータ２５は、正転りレー９０の接点９０Ａを介して直流の電源回路６０に接続される。正転りレー９０の励磁コイル９０Ｂは、制御手段４０の指示により通電が行われ、励磁コイル９０Ｂの励磁により、巻取モータ２５は正転する。
【００４０】
また、巻取モータ２５は、逆転りレー９１の接点９１Ａを介して直流の電源回路６０に接続される。逆転りレー９１の励磁コイル９１Ｂは、制御手段４０の指示により通電が行われ、励磁コイル９１Ｂの励磁により、巻取モータ２５は逆転する。
【００４１】
次に食器かごの上げ下げに関し、動作の面から説明する。
【００４２】
食器の出し入れに際し、洗浄槽２の操作ハンドルをつかんで洗浄槽２を図２に示すように引き出す。このときには、洗浄槽２は、昇降トレー９が昇降トレー受け台２０に受けられているので、食器かご４は洗浄槽２の下方位置に置かれている。
【００４３】
洗浄槽２が完全に引き出されると、引出完了検知スイッチ４７に検知される。この引出完了検知スイッチ４７の検知信号を受けて制御手段４０は、巻取モータ２５の正転を指示する。巻取モータ２５の正転で巻取ドラム２４に吊りロープ２３が巻かれ、昇降トレー９は食器かご４を持ち上げる。
【００４４】
食器かご４を載置した昇降トレー９が図３に示す上昇位置に達すると、上昇位置検知スイッチ（図示せず）が上昇位置検知信号を出力し、この出力信号を受けて制御手段４０は巻取モータ２５の正転は止める指示をする。昇降トレー９は、ブレーキにより、上昇位置に保持される。食器の出し入れは、食器かご４が上昇位置にあるので、洗浄槽２の内側底部にあるものに比べ、し易いのである。
【００４５】
また、食器かご４は昇降トレー９に載置されているので、食器かご４を持ち上げることにより、昇降トレー９から容易に取り外すことができる。取り付けも、食器かご４を昇降トレー９に載置するだけなので容易である。また、食器かご４の昇降トレー９への上げ下ろしは、食器かごが洗浄槽２の内側底部に位置するのに比べ、容易である。
【００４６】
食器かご４に食器を収納し終えたり、昇降トレー９に食器かご４を載置したら昇降トレー９を下げて食器かご４を下方位置に置く。この下方位置への移動は、操作パネル３に設けた降下指示スイッチ（図示せず）を押すことに巻取モータ２５が逆転して行われる。昇降トレー９が昇降トレー受け台２０に受けられるところで、巻取モータ２５は停止する。
【００４７】
昇降トレー９が昇降トレー受け台２０に受けられるところ来ると、下方位置検知スイッチ（図示せず）が下方位置検知信号を出力し、この出力信号を受けて制御手段４０は巻取モータ２５の逆転は止める指示をするのである。
【００４８】
前述したように巻取モータ２５の正転は、引出完了検知スイッチ４７の検知信号を受けて行われるが、上昇指示すスイッチ（図示せず）を用いて指示することもできる。
【図面の簡単な説明】
【００４９】
【図１】本発明の実施例に係わる食器洗い機の縦断面図。
【図２】本発明の実施例に係わる食器洗い機の縦断面図で、洗浄槽を引き出した状態を示す。
【図３】本発明の実施例に係わる食器洗い機の縦断面図で、食器かごを上昇位置に置いた状態を示す。
【図４】本発明の実施例に係わる食器洗い機の断面図で、背面から内部を見たところを示す。
【図５】本発明の実施例に係わる食器洗い機のブロック制御回路図。
【符号の説明】
【００５０】
１…外枠体、２…洗浄槽、７…回転ノズル体、６…電動ポンプ、４…食器かご、９…昇降トレ−。
【図１】
2006141514.tif 000003
【図２】
2006141514.tif 000004
【図３】
2006141514.tif 000005
【図４】
2006141514.tif 000006
【図５】
2006141514.tif 000007